(57)【要約】【課題】携帯端末において、バランスのとれた端末姿勢で持ち運びでき、飛び出し部がなく、ストラップの着脱や交換が容易なストラップ取付け技術の提供。【解決手段】ストラップ取付け部を筐体の両側部に配し、該両ストラップ取付け部として、ストラップに接続された凸状等の係合体が挿入される凹状の係合部と、該挿入された係合体を、弾性変形を利用してロックするロック部とを備えた構成とする。【選択図】  図１
2004153450.tif 000002
【特許請求の範囲】
【請求項１】
ストラップを取付け可能な携帯端末であって、
表示部と操作部が設けられた筐体の両側部にストラップ取付け部を備え、
該各ストラップ取付け部が、
ストラップに接続された係合体を挿入するための凹状の係合部と、
上記係合体が該凹状の係合部に挿入されたとき、該係合体を該挿入状態でロックするロック部と、
を備えている構成を特徴とする携帯端末。
【請求項２】
表示部を備えた第１の筐体と、操作部を備えた第２の筐体とが結合部により互いに回転可能に結合された折りたたみ式の携帯端末であって、
上記結合部の両側部にストラップ取付け部を備え、
該各ストラップ取付け部が、
ストラップに接続された係合体の突出部を挿入するための凹状の係合部と、
上記係合体の突出部が該凹状の係合部に挿入されたとき、該突出部を、弾性復元力に基づき変位する部分によりロックするロック部と、
を備えている構成を特徴とする携帯端末。
【請求項３】
上記ロック部は、弾性変形する第１の部分、または該第１の部分とこれに接続された第２の部分を有し、該第１の部分または該第２の部分が上記係合体の被ロック部にはまり込んで該係合体をロックする構成である請求項１または請求項２に記載の携帯端末。
【請求項４】
上記ロック部は、上記第１の部分または上記第２の部分に対し、弾性復元力に抗して外部から外力を作用させることが可能な構成である請求項３に記載の携帯端末。
【請求項５】
上記ストラップ取付け部は、上記結合部を構成する、上記第１の筐体、上記第２の筐体のいずれか一方もしくは両方または結合軸の端部に設けられる構成である請求項２、３または４に記載の携帯端末。
【請求項６】
上記ロック部は、上記凹状の係合部に同心状に設けた凸状部に形成される請求項１または請求項２に記載の携帯端末。
【請求項７】
ストラップを取付け可能な携帯端末であって、
表示部と操作部が設けられた筐体の両側部にストラップ取付け部を備え、
該各ストラップ取付け部が、
ストラップに接続された凸状の係合体を挿入するための凹状の係合部と、
上記係合体が該凹状の係合部に挿入されたとき、該係合体側の弾性変形により該係合体を該挿入状態でロックするロック部と、
を備えている構成を特徴とする携帯端末。
【請求項８】
携帯端末に取付け可能なストラップ部品であって、
ストラップに接続された凸状の係合体を備え、該係合体により、表示部と操作部が設けられた携帯端末の筐体の両側部のストラップ取付け部に取付け可能であって、該凸状の係合体が該両ストラップ取付け部の凹状の係合部に挿入されたとき、該凸状の係合体の被ロック部が、該ストラップ取付け部のロック部の弾性変形する部分により係合されロックされる構成を備えていることを特徴とするストラップ部品。
【発明の詳細な説明】
【０００１】
【発明の属する技術分野】
本発明は、携帯端末のストラップ取付け構造に関する。
【０００２】
【従来の技術】
現在、携帯端末は大幅に普及しており、携帯電話機をはじめとして携帯端末の機能は確実に進化し様々なサービスを利用できるようになってきている。例えば携帯電話機の場合、筐体に取付けられたストラップとしては、手首に掛けるタイプのものや、首に掛けるタイプのものなどがあり、それぞれにおいて、ユーザの要求に対応すべく個性的なものも市販されている。これら従来のストラップは、携帯端末の筐体の側面または裏面の１箇所に設けた貫通状の穴に通して取付けられるものが多い。また、この他、特開２００１−３２１２１５号公報（特許文献１）や特許第３２０３５９４号公報（特許文献２）に記載されたものがある。特開２００１−３２１２１５号公報には、カラフルで、小型、軽量の携帯電話機を今日的ファッションに適合させることを目的に、携帯電話機のケース本体の上側の左右側部にフック構造の突出子を設け、該突出子にストラップを引掛けて取付ける構造が記載されている。また、特許第３２０３５９４号公報には、二つ折り収納可能な携帯電話機をバランス良く保持可能にすることを目的に、携帯電話機本体の平面部に、ストラップ取付け部が両端部に突出したプレート状のストラップ取付け具を粘着層により固定し、該ストラップ取付け部の穿孔等のストラップ取付け手段にストラップを取付け可能にした構造が記載されている。
【０００３】
【特許文献１】
特開２００１−３２１２１５号公報
【特許文献２】
特許第３２０３５９４号公報
【０００４】
【発明が解決しようとする課題】
上記従来の技術のうち、携帯端末の筐体の１箇所の小さい穴に紐を通す構成では、穴が小さいため、細い紐状のストラップしか通すことができず、ストラップの取付けや交換が容易でない場合が多い。また、筐体の１箇所に設けられた穴では、ストラップで携帯端末を吊り下げたとき、該端末が傾いてしまったり、例えばネックストラップで首から吊り下げるようにした場合にも携帯端末が回転して裏向きになってしまったりすることが多く、持ち運びや使用の時に不便さを感じさせる要因となる。また、特開２００１−３２１２１５号公報に記載された構成では、ストラップを取付けていない場合、突出子が携帯端末の側面より飛び出した状態となってしまい、携帯端末をポケット等に入れる場合においては、このストラップ取付け部がじゃまになるおそれがある。また、特許第３２０３５９４号公報に記載された構成でも同様に、ストラップ取付け部が携帯端末の側面から飛び出した状態になり、携帯端末をポケット等に入れる場合にはこれがじゃまになるおそれがある。
本発明の課題点は、かかる従来技術の状況に鑑み、携帯端末において、（１）バランスのとれた端末姿勢での持ち運びができるようにすること、（２）ストラップの着脱や交換を容易にすること、（３）ストラップが取付けられていないときにはストラップ取付け部が飛び出した構造にならないようにすること、等である。
本発明の目的は、かかる課題点を解決できる技術の提供にある。
【０００５】
【課題を解決するための手段】
上記課題点を解決するために、本発明では、基本的に、携帯端末において、ストラップ取付け部を、筐体の両側部や、筐体の結合部の両側部に備え、両ストラップ取付け部の構成として、ストラップに接続された係合体（該当実施例：符号２０１）が挿入される凹状の係合部（該当実施例：１１２ａ、１１２ｂ）と、該挿入された係合体を、弾性変形を利用してロックするロック部（該当実施例：１１１ａ１、１１２ａ２、１１３ａ１、１２０ａ、１２１ａ、１２２ａ、１３０ａ）とを備えた構成とする。具体的には、（１）携帯端末として、表示部（該当実施例：符号１０１）と操作部（該当実施例：符号１０３）が設けられた筐体（該当実施例：符号１０２、１０４）の両側部にストラップ取付け部を備え、該各ストラップ取付け部が、ストラップに接続された係合体（該当実施例：２０１）を挿入するための凹状の係合部（該当実施例：１１２ａ、１１２ｂ）と、上記係合体が該凹状の係合部に挿入されたとき、該係合体を該挿入状態でロックするロック部（該当実施例：１１１ａ１、１１２ａ２、１１３ａ１、１２０ａ、１２１ａ、１２２ａ、１３０ａ）とを備えている構成とする。（２）表示部（該当実施例：１０１）を備えた第１の筐体（該当実施例：１０２）と、操作部（該当実施例：１０３）を備えた第２の筐体（該当実施例：１０４）とが結合部（該当実施例：１１０）により互いに回転可能に結合された折りたたみ式の携帯端末として、上記結合部（該当実施例：１１０）がその両側部にストラップ取付け部を備え、該各ストラップ取付け部が、ストラップ（該当実施例：２００）に接続された係合体（該当実施例：２０１）の突出部（該当実施例：２０１ａ、２０１ｂ）を挿入するための凹状の係合部（該当実施例：１１２ａ、１１２ｂ）と、上記係合体の突出部が該凹状の係合部に挿入されたとき、該突出部を、弾性復元力に基づき変位する部分によりロックするロック部（該当実施例：１１１ａ１、１１３ａ１、１２０ａ、１２１ａ、１２２ａ、１３０ａ）とを備えた構成とする。（３）上記（１）または（２）において、上記ロック部を、弾性変形する第１の部分（該当実施例：１１１ａ１、１１３ａ１、１２０ａ、１２１ａ、１２２ａ）、または該第１の部分とこれに接続された第２の部分（該当実施例：１３０ａ）を有し、該第１の部分または該第２の部分が上記係合体の被ロック部（該当実施例：２０４、２０５ａ）にはまり込んで該係合体をロックする構成とする。（４）上記（３）において、上記ロック部を、上記第１の部分または上記第２の部分に対し、弾性復元力に抗して外部から外力を作用させることができる構成とする。（５）上記（２）、（３）または（４）において、上記ストラップ取付け部を、上記結合部を構成する、上記第１の筐体（該当実施例：１０２）、上記第２の筐体（該当実施例：１０４）のいずれか一方もしくは両方または結合軸の端部に設けられる構成とする。（６）上記（１）または（２）において、上記ロック部（該当実施例：符号１１３ａ１は、上記凹状の係合部（該当実施例：１１２ａ、１１２ｂ）に同心状に設けた凸状部（該当実施例：符号１１３ａ）に形成される構成とする。（７）携帯端末として、表示部と操作部が設けられた筐体の両側部にストラップ取付け部を備え、該各ストラップ取付け部が、ストラップに接続された凸状の係合体（該当実施例：２０１）を挿入するための凹状の係合部（該当実施例：１１２ａ、１１２ｂ）と、上記係合体が該凹状の係合部に挿入されたとき、該係合体側の弾性変形により該係合体を該挿入状態でロックするロック部（該当実施例：１１１ａ１、１１２ａ２、１１３ａ１）とを備えている構成とする。（８）携帯端末に取付けられるストラップ部品として、ストラップと、該ストラップに接続された凸状の係合体（該当実施例：２０１）とを備え、該係合体により、表示部（該当実施例：１０１）と操作部（該当実施例：１０３）が設けられた携帯端末の筐体（該当実施例：１０２、１０４）の両側部のストラップ取付け部に取付け可能であって、該凸状の係合体が該両ストラップ取付け部の凹状の係合部（該当実施例：１１２ａ、１１２ｂ）に挿入されたとき、該凸状の係合体により形成された被ロック部（該当実施例：２０４、２０５ａ）が、該ストラップ取付け部のロック部（該当実施例：１１１ａ１、１１２ａ２、１１３ａ１、１２０ａ、１２１ａ、１２２ａ、１３０ａ）の弾性変形する部分により係合されロックされる構成とする。
【０００６】
【発明の実施の形態】
以下、本発明の実施例につき、図面を用いて説明する。
図１は本発明の携帯端末の基本構成の説明図で、（ａ）は、筐体の両側のストラップ取付け部にストラップ部品を取付ける前の状態を示す図、（ｂ）は、該ストラップ取付け部にストラップ部品を取付けた後の状態を示す図である。
図１は携帯端末としての折りたたみ式携帯電話機の場合の構成例である。図１において、１００は携帯電話機、１０１は表示部、１０２は第１の筐体、１０３は操作部としての操作ボタン、１０４は第２の筐体、１１０は、第１の筐体１０２と第２の筐体１０４とを互いに共通軸の周りに回動可能な状態で結合する結合部、１１１ａ、１１１ｂは、ストラップ部品が取付けられるストラップ取付け部材、１１２ａ、１１２ｂはそれぞれ、該ストラップ取付け部材１１１ａ、１１１ｂのストラップ取付け部に形成され筐体の幅方向が凹状部の深さ方向とされた凹状の係合部、２００はストラップ、２０１は、ストラップ２００が接続され上記凹状の係合部１１２ａ、１１２ｂに係合される凸状の（＝突出部を有する）係合体、２０１ａは、係合体２０１の一部を形成し上記凹状の係合部１１２ａ、１１２ｂに挿入される突出部である。ストラップ取付け部材１１１ａ、１１１ｂには、上記凹状の係合部１１２ａ、１１２ｂの他に、さらに、上記係合体２０１をその突出部２０１ａにおいてロックするロック部（図示なし）が設けられている。該ストラップ取付け部材１１１ａ、１１１ｂは、結合部１１０の一部を形成するとともに、第１の筐体または第２の筐体の一部を形成している。該結合部１１０は、本実施例構成では、該ストラップ取付け部材１１１ａ、１１１ｂの他、これらに係合する結合軸（図示なし）を有して構成される。該ストラップ取付け部材１１１ａ、１１１ｂのストラップ取付け部に形成される凹状の係合部１１２ａ、１１２ｂはそれぞれ、該ストラップ取付け部材１１１ａ、１１１ｂの軸方向の端部において第１の筐体１０２または第２の筐体１０４の両側面の方向に開口を有する。ストラップ２００と係合体２０１とでストラップ部品が構成される。ストラップ部品の係合体２０１の突出部２０１ａは、該凹状の係合部１１２ａ、１１２ｂ内に該開口から挿入される。挿入された突出部２０１ａは、ロック部により所定位置にロックされる。該ロック状態とすることでストラップ部品が、携帯電話機１００のストラップ取付け部材１１１ａ、１１１ｂの軸方向端部に取付けられた状態となる。なお、ストラップ取付け部材１１１ａ、１１１ｂとしては、上記図１のように結合部における第１の筐体または第２の筐体を用いる他、結合部の結合軸を用い、その軸端部に上記ストラップ取付け部を構成してもよい。
【０００７】
図２、図３は本発明の第１の実施例の説明図で、上記図１におけるストラップ取付け部材１１１ａに形成されるストラップ取付け部の第１の実施例構成を示す。図２は、該ストラップ取付け部を第１、第２の筐体の側面方向から見た構成（側面構成）、図３は、該ストラップ取付け部を第１、第２の筐体の上面方向から見た構成（正面構成）を示す。
図２、図３において、１１１ａはストラップ取付け部材、１１２ａはストラップ取付け部材１１１ａに形成される凹状の係合部、１２０ａは、ストラップ取付け部材１１１ａ内においてロック部を形成するロック用の弾性部材、２０１は係合体、２０１ａは係合体２０１内において上記凹状の係合部１１２ａに挿入される突出部、２０１ａ１は突出部２０１ａの先端側部分、２０１ａ２は突出部２０１ａの根元側部分、２０４は、先端側部分２０１ａ１と根元側部分２０１ａ２との間に設けられる被ロック部としての溝部、Ｆは弾性部材１２０ａに加えられる外力である。ストラップ部品の携帯電話機１００側への取付けのためには、一方の取付け部材１１１ａ側において、ストラップ２００に接続された係合体２０１の突出部２０１ａが凹状の係合部１１２ａ内に挿入される。挿入の途中位置で、突出部２０１ａの先端側部分２０１ａ１は、弾性部材１２０ａで囲まれた空間部を通り抜ける。該空間部を形成する弾性部材１２０ａの幅寸法ａは、被ロック部としての溝部２０４が形成された部分の突出部２０１ａの外径寸法と略等しくされている。弾性部材１２０ａは、外部から直接的にまたは間接的に外力Ｆを加えられるか、または、突出部２０１ａの先端側部分２０１ａ１の挿入動作により、弾性変形し、上記幅寸法ａが増大し上記囲まれた空間部が広がる。該広がった状態で突出部２０１ａの先端側部分２０１ａ１が該空間部を通り抜ける。該先端側部分２０１ａ１がさらに凹状の係合部１１２ａ内の奥側に進み、被ロック部としての溝部２０４が弾性部材１２０ａの位置にくると、該弾性部材１２０ａは弾性復元力により、上記囲まれた空間部が縮小し、突出部２０１ａの先端側部分２０１ａ１に凹状の係合部１１２ａからはずれる方向の力が作用した場合に該はずれる動作を阻む。これによって、弾性部材１２０ａは、突出部２０１ａが凹状の係合部１１２ａに挿入された状態で該突出部２０１ａをロックする。先端側部分２０１ａ１の先端角度ｂは、該先端側部分２０１ａ１が弾性部材１２０ａで囲まれた空間部に挿入され易い角度になっている。また、突出部２０１ａ上において溝部２０４を形成する部分の角度ｃは、溝部２０４にはまり込んだ弾性部材１２０ａがはずれにくい角度になっている。本実施例では、角度ｃは先端角度ｂよりも大きくされている。かかる状態で、ストラップ部品の凸状の係合体２０１が、携帯電話機１００側の一方のストラップ取付け部材１１１ａのストラップ取付け部に取付けられる。他方のストラップ取付け部材１１ｂの取付け部についても同様である。ストラップ部品を携帯電話機１００のストラップ取付け部から取外すときには、一方の取付け部材１１１ａ側では、弾性部材１２０ａに外力を加えて該弾性部材１２０ａを変形させ、該弾性部材１２０ａで囲まれた上記空間部を広げて、係合体２０１の突出部２０１ａの先端側部分２０１ａ１を弾性部材１２０ａから抜き、突出部２０１ａを凹状の係合部１１２ａから抜く。他方のストラップ取付け部材１１１ｂ側においても上記と同様である。
【０００８】
上記第１の実施例によれば、携帯電話機において、筐体の両側部にストラップ部品を取付ける構成のため、携帯電話機をバランスのとれた姿勢にしてストラップで支持し持ち運びができるようになる。ストラップの着脱や交換を容易に行うことが可能となり、好みに合ったストラップの選択等も容易となる。ストラップを取外した状態では、ストラップ取付け部が飛び出さないコンパクトな構造とすることができる。ロック部も簡易な構成で実現できる。
【０００９】
図４は本発明の第２の実施例の説明図で、上記図１におけるストラップ取付け部材１１１ａに形成されるストラップ取付け部の第２の実施例構成を示す。図４（ａ）は、該ストラップ取付け部を第１、第２の筐体の側面方向から見た構成（側面構成）、図４（ｂ）は、該ストラップ取付け部を第１、第２の筐体の上面方向から見た構成（正面構成）を示す。
本第２の実施例は、ロック部におけるロック用の弾性部材を、平行状の弾性部分を有して構成した場合の例である。
図４において、１２１ａは、ストラップ取付け部材１１１ａ内において平行状の２本の弾性片１２１ａ１、１２１ａ２を有しロック部を形成するロック用の弾性部材である。他の部分の構成は上記第１の実施例の場合と同様であるため、該第１の実施例の場合と同じ符号を付す。本第２の実施例においても、携帯電話機１００側へのストラップ部品の取付けのためには、一方の取付け部材１１１ａ側において、ストラップ２００に接続された係合体２０１の突出部２０１ａが凹状の係合部１１２ａ内に挿入され、挿入の途中位置で、突出部２０１ａの先端側部分２０１ａ１は、弾性部材１２１ａの弾性片１２１ａ１、１２１ａ２の間の空間部を通り抜ける。該空間部を形成する弾性部材１２１ａの弾性片１２１ａ１、１２１ａ２間の寸法ａは、被ロック部としての溝部２０４が形成された部分の係合体２０１の突出部２０１ａの外径寸法と略等しくされている。弾性部材１２１ａの弾性片１２１ａ１、１２１ａ２は、外部から直接的または間接的に外力Ｆを加えられるか、または、突出部２０１ａの先端側部分２０１ａ１の挿入動作により、弾性変形し、その結果上記寸法ａが増大し上記空間部が広がる。該広がった状態で突出部２０１ａの先端側部分２０１ａ１が該空間部を通り抜ける。該先端側部分２０１ａ１がさらに凹状の係合部１１２ａ内の奥側に進み、被ロック部としての溝部２０４が弾性片１２１ａ１、１２１ａ２の位置にくると、該弾性部材１２０ａの弾性片１２１ａ１、１２１ａ２の弾性復元力により、上記空間部が縮小し、突出部２０１ａの先端側部分２０１ａ１に凹状の係合部１１２ａからはずれる方向の力が作用した場合該はずれる動作を阻む。これによって、弾性部材１２１ａは突出部２０１ａを、凹状の係合部１１２ａに挿入された状態でロックする。本第２の実施例においても、突出部２０１ａの先端側部分２０１ａ１の先端角度ｂは、該先端側部分２０１ａ１が弾性部材１２１ａの弾性片１２１ａ１、１２１ａ２間の空間部に挿入され易い角度になっている。また、突出部２０１ａ上において被ロック部としての溝部２０４が形成された部分の角度ｃは、該溝部２０４にはまり込んだ弾性部材１２１ａの弾性片１２１ａ１、１２１ａ２がはずれにくい角度になっている。本第２の実施例でも、角度ｃは先端角度ｂよりも大きくされている。かかる状態で、ストラップ部品の凸状の係合体２０１が、携帯電話機１００側の一方のストラップ取付け部材１１１ａのストラップ取付け部に取付けられる。他方のストラップ取付け部材１１１ｂの取付け部についても同様である。ストラップ部品を該ストラップ取付け部から取外すときには、一方のストラップ取付け部材１１１ａ側では、弾性部材１２１ａに外力を加えて該弾性部材１２１ａを変形させ、該弾性部材１２１ａの弾性片１２１ａ１、１２１ａ２間の上記空間部を広げて、係合体２０１の突出部２０１ａの先端側部分２０１ａ１を弾性部材１２１ａの位置から抜く。本第２の実施例構成の変形例として、係合体２０１の全体または突出部２０１ａまたはその先端側部分２０１ａ１を弾性材で構成するものもある。該構成の場合は、弾性部材１２１ａに替えて、これと同じ外形構造のものを非弾性部材で構成することも可能である。他方のストラップ取付け部材１１１ｂ側においても、上記と同様である。
【００１０】
上記第２の実施例によっても、携帯電話機において、携帯電話機をバランスのとれた姿勢で持ち運びできるようになる。ストラップの着脱や交換も容易に行え、好みに合ったストラップの選択等が容易となる。ストラップを取外した状態のときにはストラップ取付け部が飛び出さないコンパクトな構造とすることができる。ロック部も簡易構成にできる。
【００１１】
図５は本発明の第３の実施例の説明図で、上記図１におけるストラップ取付け部材１１１ａに形成されるストラップ取付け部の第３の実施例構成を示す。図５は、該ストラップ取付け部を第１、第２の筐体の上面方向から見た構成（正面構成）を示す。
本第３の実施例は、ロック部として、弾性部材を設けずに、ストラップ取付け部材１１１ａの端部を利用してロックする構成とした場合の例である。
図５において、１１１ａ１は、ストラップ取付け部材１１１ａの端部であって凹状の係合部１１２ａの開口部に突き出して構成されたロック部である。本第３の実施例では、該ストラップ取付け部材１１１ａが弾性材で構成され、かつ、その端部のロック部１１１ａ１で囲まれる部分の空間部の寸法は、係合体２０１の突出部２０１ａの先端側部分２０１ａ１の寸法よりも小さくされている。他の部分の構成は上記第１の実施例及び第２の実施例の場合と同様であるため、該第１の実施例及び第２の実施例の場合と同じ符号を付す。ストラップ部品の携帯電話機１００への取付けのために、一方の取付け部材１１１ａの取付け部において、ストラップ２００に接続された係合体２０１の突出部２０１ａが凹状の係合部１１２ａ内に挿入されるとき、突出部２０１ａの先端側部分２０１ａ１は、上記ロック部１１１ａ１で囲まれる部分の空間部を通り抜けて凹状の係合部１１２ａ内の奥に挿入される。このとき、該先端側部分２０１ａ１は上記ロック部１１１ａ１に当接し、自身の挿入動作により該ロック部１１１ａ１を弾性変形させる。該弾性変形により該ロック部１１１ａ１で囲まれた部分の寸法が増大するため、該先端側部分２０１ａ１は、該ロック部１１１ａ１の先端部が表面に当接した状態で凹状の係合部１１２ａ内を奥側に進む。先端側部分２０１ａ１が凹状の係合部１１２ａ内の所定位置まで挿入された状態では、上記ロック部１１１ａ１の先端部は、上記係合体２０１の突出部２０１ａの、被ロック部としての溝部２０４の位置にあって、上記弾性変形状態から解放され、該溝部２０４内にはまり込む。該状態では、上記ロック部１１１ａ１は、突出部２０１ａの先端側部分２０１ａ１に対し、該先端側部分２０１ａ１が凹状の係合部１１２ａからはずれる方向の力が作用した場合該はずれる動作を阻む。これによって、弾性部材１２１ａは突出部２０１ａを、凹状の係合部１１２ａに挿入された状態でロックする。本第３の実施例においても、突出部２０１ａの先端側部分２０１ａ１の先端角度ｂ’は、該先端側部分２０１ａ１がロック部１１１ａ１間の空間部を通過し易い角度になっている。また、突出部２０１ａにおいて被ロック部としての溝部２０４を形成する部分の角度ｃ’は、溝部２０４にはまり込んだロック部１１１ａ１の先端部がはずれにくい角度になっている。本第３の実施例においても、角度ｃ’は先端角度ｂ’よりも大きくされている。かかる状態で、ストラップ部品の凸状の係合体２０１が、携帯電話機１００側の一方のストラップ取付け部材１１１ａのストラップ取付け部に取付けられる。他方のストラップ取付け部材１１１ｂのストラップ取付け部についても同様である。ストラップ部品を該ストラップ取付け部から取外すときには、一方のストラップ取付け部材１１１ａ側では、係合体２０１の突出部２０１ａを凹状の係合部１１２ａから引き抜く。このとき、ロック部１１１ａ１の先端部はやはり、突出部２０１ａの先端側部分２０１ａ１の表面に当接した状態で、該先端側部分２０１ａ１の引き抜き動作により弾性変形して、先端側部分２０１ａ１の引き抜き移動変位を許す。本第３の実施例構成の変形例として、係合体２０１の全体または突出部２０１ａまたはその先端側部分２０１ａ１を弾性材で構成するものもある。該構成の場合は、ストラップ取付け部材１１１ａ全体やロック部１１１ａ１を、非弾性部材で構成することも可能となる。他方のストラップ取付け部材１１１ｂ側においても、上記と同様である。
【００１２】
上記第３の実施例によっても、携帯電話機において、携帯電話機をバランスのとれた姿勢で持ち運びできるようになる。ストラップの着脱や交換を容易に行え、好みに合ったストラップの選択等が容易となる。ストラップを取外した状態のときにはストラップ取付け部が飛び出さないコンパクトな構造とすることができる。ロック部も簡易構成にできる。特に、本第３の実施例では、ロック部を、ストラップ取付け部材１１１ａ、１１１ｂ上に一体状に構成できるため、ストラップ取付け部の部品数を少なくすることができる。また、ロック部の組込み作業や調整作業をなくすことができる。
【００１３】
図６は本発明の第４の実施例の説明図で、上記図１におけるストラップ取付け部材１１１ａに形成されるストラップ取付け部の第４の実施例構成を示す。図６も、該ストラップ取付け部を第１、第２の筐体の上面方向から見た構成（正面構成）を示す。
本第４の実施例は、ロック部として、弾性部材に接続され該弾性部材の弾性変形につれて変位する部材を設け、該部材を係合体２０１の突出部２０１ａに係合させて該係合体２０１をロックする構成とした場合の例である。
図６において、１２２ａは弾性部材としてのばね、１３０ａは、ばね１２２ａに接続されたロック用変位部材である。該ロック用変位部材１３０ａの先端は、ストラップ部品における係合体２０１の突出部２０１ａの先端側部分２０１ａ１の外面に略沿った面形状を有している。本第４の実施例では、上記ばね１２２ａと上記ロック用変位部材１３０ａとがロック部を形成する。他の部分の構成は上記第１の実施例、第２の実施例及び第３の実施例の場合と同様であるため、該各実施例の場合と同じ符号を付す。ストラップ部品の携帯電話機１００側への取付けのために、一方の取付け部材１１１ａ側の取付け部において、ストラップ２００に接続された係合体２０１の突出部２０１ａが凹状の係合部１１２ａ内に挿入されるとき、突出部２０１ａの先端側部分２０１ａ１は、挿入途中で、上記ロック用変位部材１３０ａの先端とストラップ取付け部材１１１ａの内面（凹状の係合部１１２ａを形成している内面）との間の空間部を通り抜けてさらに凹状の係合部１１２ａ内の奥側に挿入される。このとき、該先端側部分２０１ａ１は上記ロック用変位部材１３０ａの先端に当接し、自身の挿入動作により該ロック用変位部材１３０ａの先端を、ばね１２２ａの弾性復元力に抗して図の上方に変位させる。該変位により該ロック用変位部材１３０ａの先端とストラップ取付け部材１１１ａの内面との間の空間部の寸法が増大するため、該先端側部分２０１ａ１は、該ロック部１１１ａ１の先端部が表面に当接した状態で凹状の係合部１１２ａ内を奥側に進む。先端側部分２０１ａ１が凹状の係合部１１２ａ内の所定位置まで挿入された状態では、上記ロック用変位部材１３０ａの先端は、上記係合体２０１の突出部２０１ａの被ロック部としての溝部２０４の位置にあって、上記ばね１２２ａの弾性復元力に抗した上記変位状態から解放され該溝部２０４内にはまり込む。該はまり込んだ状態では、上記ロック用変位部材１３０ａは、突出部２０１ａの先端側部分２０１ａ１に対し、凹状の係合部１１２ａからはずれる方向の力が作用した場合該はずれようとする動作を阻む。これによって、ばね１２２ａとロック用変位部材１３０ａは、突出部２０１ａが、凹状の係合部１１２ａに挿入された状態で該突出部２０１ａをロックする。本第４の実施例においても、突出部２０１ａの先端側部分２０１ａ１の先端角度ｂは、該先端側部分２０１ａ１がロック用変位部材１３０ａの先端とストラップ取付け部材１１１ａの内面との間の空間部を通過し易い角度になっている。また、突出部２０１ａ上において溝部２０４を形成する部分の角度ｃは、該溝部２０４にはまり込んだロック用変位部材１３０ａの先端がはずれにくい角度になっている。本第４の実施例においても、角度ｃは先端角度ｂよりも大きい。かかる状態で、ストラップ部品の係合体２０１が、携帯電話機１００の一方のストラップ取付け部材１１１ａのストラップ取付け部に取付けられる。他方のストラップ取付け部材１１１ｂの取付け部についても同様である。ストラップ部品を該ストラップ取付け部から取外すときには、一方のストラップ取付け部材１１１ａ側では、ロック用変位部材１３０ａをばね１１２ａの弾性復元力に抗して上方に変位させ、ロック用変位部材１３０ａの先端を上記溝部２０４からはずし、係合体２０１の突出部２０１ａを凹状の係合部１１２ａから抜く。ストラップ取付け部材１１１ｂ側においても、上記と同様である。
【００１４】
上記第４の実施例によっても、携帯電話機において、携帯電話機をバランスのとれた姿勢で持ち運びできるようになる。ストラップの着脱や交換を容易に行え、好みに合ったストラップの選択等が容易となる。ストラップを取外した状態のときにはストラップ取付け部が飛び出さないコンパクトな構造とすることができる。ロック部も簡易構成にできる。
【００１５】
図７は本発明の第５の実施例の説明図で、上記図１におけるストラップ取付け部材１１１ａに形成されるストラップ取付け部の第５の実施例構成を示す。本図７も、該ストラップ取付け部を第１、第２の筐体の上面方向から見た構成（正面構成）を示す。（ａ）は、ストラップ部品側の構成例、（ｂ）は、ストラップ取付け部におけるストラップ部品のロック前の状態、（ｃ）は、ストラップ取付け部におけるストラップ部品のロック後の状態を示す。
本第５の実施例は、ストラップ取付け部側のロック部として、凹状の係合部の内面構造を、係合体２０１の突出部２０１ａの一部を引掛けて該係合体２０１をロック可能な構成とした場合の例である。
図７において、２０１ｂは、ストラップ部品の係合体２０１の突出部であって弾性変形可能な突出部、２０１ｂ１は、該突出部２０１ｂの先端部にあって凹状の係合部の内面にロックのために引掛る引掛部、２０１ｃは凹部、２０３は、突出部２０１ｂを弾性変形させるための突出部変形用部材、２０３ａは、該突出部変形用部材２０３上の一部であって突出部２０１ｂ内に挿入される挿入部、１１２ａ１は、ストラップ取付け部を構成する凹状の係合部のうち開口部側の部分（第１の凹状部）、１１２ａ２は、ストラップ取付け部を構成する凹状の係合部のうち奥側の部分（第２の凹状部）である。ストラップ部品の係合体２０１の突出部２０１ｂは、本実施例の場合は、該係合体２０１の中心軸周りに３本以上設けられ、それぞれの中心軸側の面が長手方向に曲げられている。該係合体２０１の中心軸部には、上記突出部変形用部材２０３の挿入部２０３ａが挿入される。挿入部２０３ａが挿入されると、複数の突出部２０１ｂはそれぞれ、その中心軸側の面が挿入部２０３ａの表面に当接し、該挿入部２０３ａの挿入移動に従って上記引掛部２０１ｂ１側が互いに、係合体２０１の中心軸位置から離れる方向に変位する。本第５の実施例では、上記第２の凹状部１１２ａ２がロック部を形成する。他の部分の構成は上記各実施例の場合と同様であるため、各実施例の場合と同じ符号を付す。ストラップ部品を携帯電話機１００側に取付ける場合は、一方のストラップ取付け部材１１１ａ側の取付け部において、ストラップ２００に接続された係合体２０１の突出部２０１ｂが、凹状の係合部の第１の凹状部１１２ａ１と第２の凹状部１１２ａ２とに挿入される。このとき、突出部２０１ｂの先端側の引掛部２０１ｂ１は、第２の凹状部１１２ａ２の位置にくる。かかる状態で、複数の突出部２０１ｂ間に、突出部変形用部材２０３の挿入部２０３ａが挿入される（図７（ｂ））。該挿入部２０３ａの挿入移動に従って引掛部２０１ｂ１側が互いに、係合体２０１の中心軸位置から離れる方向に弾性変位する。挿入部２０３ａの挿入が終了したとき、引掛部２０１ｂ１は第２の凹状部１１２ａ２内にあってストラップ取付け部材１１１ａの内面部に当接する（図７（ｃ））。このとき、突出部変形用部材２０３の頭部は、係合体２０１の凹部２０１ｃ内に位置する。該当接状態では、係合体２０１に対し、ストラップ取付け部からはずす方向の力が作用した場合該はずす動作が阻まれる。これによって、突出部２０１ｂが、第１の凹状部１１２ａ１と第２の凹状部１１２ａ２とに挿入された状態で該突出部２０１ｂをロックする。これによって、ストラップ部品の係合体２０１が、携帯電話機１００側の一方のストラップ取付け部材１１１ａのストラップ取付け部に取付けられる。他方の取付け部材１１１ｂの取付け部についても同様である。また、ストラップ部品を該ストラップ取付け部から取外すときには、一方の取付け部材１１１ａ側では、突出部変形用部材２０３を係合体２０１の突出部２０１ｂ相互間から抜き取り、突出部２０１ｂ上の引掛部２０１ｂ１側の弾性変位を元に戻す。これによってロックをはずし、突出部２０１ｂを第１の凹状部１１２ａ１及び第２の凹状部１１２ａ２から抜き出す。ストラップ取付け部材１１１ｂ側においても、上記と同様である。
【００１６】
上記第５の実施例によっても、携帯電話機において、携帯電話機をバランスのとれた姿勢で持ち運びできるようになる。ストラップの着脱や交換を容易に行え、好みに合ったストラップの選択等が容易となる。ストラップを取外した状態のときにはストラップ取付け部が飛び出さないコンパクトな構造とすることができる。ロック部も簡易構成にできる。
【００１７】
図８は本発明の第６の実施例の説明図で、上記図１におけるストラップ取付け部材１１１ａに形成されるストラップ取付け部の第６の実施例構成を示す。（ａ）は、ストラップ部品と、携帯端末のストラップ取付け部の斜視図、（ｂ）は該ストラップ部品と該ストラップ取付け部を第１、第２の筐体の上面方向から見た構成（正面構成）を示す。
本第６の実施例は、ストラップ取付け部側のロック部を、凹状の係合部に対し内径側（中心軸側）に同心状に設けた凸状部に形成する構成とした場合の例である。
図８において、１１３ａは凹状の係合部１１２ａに同心状に設けた凸状部、１１３ａ１は該凸状部１１３ａ上に設けたロック部としてのロック用凸部、２０５は、ストラップ部品側において、係合体２０１の突出部２０１ａに形成され該突出部が凹状の係合部１１２ａに挿入されたとき上記凸状部１１３ａが挿入される凹部、２０５ａは、ロック用凸部１１３ａ１がはまり込む被ロック部としての溝部である。ロック用凸部１１３ａ１の外径寸法は凹部２０５の径よりも大きくされており、少なくとも、凸状部１１３ａ、ロック用凸部１１３ａ１、または突出部２０１ａのいずれかが弾性変形することで、ロック用凸部１１３ａ１を凹部２０５内に挿入できるようになっている。また、凸状部１１３ａの先端部は凹部２０５の径よりも小さくされ、凸状部１１３ａが凹部２０５内に挿入され易いようになっている。他の部分の構成は上記各実施例の場合と同様であるため、各実施例の場合と同じ符号を付す。ストラップ部品を携帯電話機１００に取付ける場合、一方の取付け部材１１１ａ側に取付け部においては、ストラップ部品側の係合体２０１の突出部２０１ａが、携帯電話機１００側のストラップ取付け部の凹状の係合部１１２ａに挿入されると同時に、係合体２０１の凹部２０５内に凸状部１１３ａが挿入される。所定の挿入位置で、被ロック部としての溝部２０５ａ内にロック用凸部１１３ａ１がはまり込む。該はまり込んだ状態で係合体２０１の突出部２０１ａがロックされる。上記挿入動作時においては、上記ロック用凸部１１３ａ１は、上記突出部２０１ａの内壁部に当接した状態で上記凹部２０５内を奥側に進む。これによって、ストラップ部品の係合体２０１が、携帯電話機１００側の一方のストラップ取付け部材１１１ａのストラップ取付け部に取付けられる。他方のストラップ取付け部材１１１ｂの取付け部についても同様である。また、ストラップ部品を該ストラップ取付け部から取外すときには、取付け部材１１１ａ側では、係合体２０１の突出部２０１ａを、上記ロック部としての上記ロック用凸部１１３ａ１と被ロック部としての上記溝部２０５ａとの間のロック力に抗して上記凹状の係合部１１２ａから抜き取る。他方のストラップ取付け部材１１１ｂ側においても同様である。
【００１８】
上記第６の実施例によっても、携帯電話機において、携帯電話機をバランスのとれた姿勢で持ち運びできるようになる。ストラップの着脱や交換を容易に行うことができる。ストラップを取外した状態のときにはストラップ取付け部が飛び出さないコンパクトな構造とすることができる。ロック部も簡易構成にできる。
【００１９】
なお、上記各実施例は、携帯端末が携帯電話機である場合につき説明したが、本発明は携帯電話機に限定されない。また、上記各実施例では、折りたたみ式の端末構成の例を示したが、本発明はこれにも限定されない。さらに、ストラップ取付け部は、筐体の両側部（両側面とその近傍を含む）や結合部の両側部（両側面とその近傍を含む）であれば、どの部分に設けられてもよい。特に、折りたたみ式の構成においては、第１の筐体と第２の筐体とを結合する結合部において回転軸の軸端部等に設けてもよい。また、上記各実施例では、ストラップ取付け部の凹状の係合部を、底部を有する構成としたが、本発明はこれにも限定されず、底を有しない貫通状の構成であってもよい。さらに、上記各実施例では、ストラップ取付け部材として、１１１ａ、１１１ｂの２個を備える構成としたが、本発明はこれにも限定されず、例えば、１個のストラップ取付け部材を備えた構成とし、その両側部にストラップ取付け部が構成されるものであってもよい。
また、本発明は、手にさげるハンドストラップタイプ、首から吊るすネックストラップ等様々な形状のストラップ部品に対応可能である。
【００２０】
【発明の効果】
本発明によれば、携帯端末をバランスのとれた姿勢状態で持ち運びできるようになる。ストラップの着脱や交換も容易となる。携帯端末を、飛び出し部をなくしたコンパクトな構造とすることができる。
【図面の簡単な説明】
【図１】本発明の携帯端末の基本構成の説明図である。
【図２】本発明の第１の実施例の説明図で、端末筐体の側面から見た構成図である。
【図３】本発明の第１の実施例の説明図で、端末筐体の上面から見た構成図である。
【図４】本発明の第２の実施例の説明図である。
【図５】本発明の第３の実施例の説明図である。
【図６】本発明の第４の実施例の説明図である。
【図７】本発明の第５の実施例の説明図である。
【図８】本発明の第６の実施例の説明図である。
【符号の説明】
１００…携帯電話機、  １０１…表示部、  １０２…第１の筐体、  １０３…操作ボタン、  １０４…第２の筐体、  １１０…結合部、  １１１ａ、１１１ｂ…ストラップ取付け部材、  １１１ａ１…ロック部、  １１２ａ、１１２ｂ…凹状の係合部、  １１２ａ１…第１の凹状部、  １１２ａ２…第２の凹状部、  １１３ａ…凸状部、  １１３ａ１…ロック用凸部、  １２０ａ、１２１ａ…ロック用の弾性部材、  １２１ａ１、１２１ａ２…弾性片、  １２２ａ…ばね、  １３０ａ…ロック用変位部材、  ２００…ストラップ、  ２０１…凸状の係合体、  ２０１ａ、２０１ｂ…突出部、  ２０１ａ１…突出部２０１ａの先端側部分、  ２０１ａ２…突出部２０１ａの根元側部分、  Ｆ…外力、  ２０１ｂ１…引掛部、  ２０１ｃ、２０５…凹部、  ２０３…突出部変形用部材、  ２０３ａ…挿入部、  ２０４、２０５ａ…溝部。
【図１】
2004153450.tif 000003
【図２】
2004153450.tif 000004
【図３】
2004153450.tif 000005
【図４】
2004153450.tif 000006
【図５】
2004153450.tif 000007
【図６】
2004153450.tif 000008
【図７】
2004153450.tif 000009
【図８】
2004153450.tif 000010